(57)【特許請求の範囲】
【請求項１】
室内と室外を連通するダクト内に嵌挿される筒部を有し、略中央に開口部を有したベース部と、前記ベース部の室外側に下方に開口を形成するように設けられるフード部を有し、前記ベース部の室外側表面には、左右上部に軸穴を有した枠体が固定され、前記ベース部の略中央の開口部をシャッター板が遮蔽できる位置に配置され、前記シャッター板の上端には左右対称にＬ字状の溝を有し、前記Ｌ字状の溝に左右対称となる段差部を有した金属製のシャッター軸が係止され、シャッター軸の左右端部は前記枠体の軸穴に軸支され、シャッター板の面上にかかる風圧により、略中央の開口部を遮蔽および開放できることを特徴とした屋外フード。
【請求項２】
室内と室外を連通するダクト内に嵌挿される筒部を有し、略中央に開口部を有したベース部と、前記ベース部の室外側に下方に開口を形成するように設けられるフード部を有し、前記ベース部の室外側表面には、左右上部に軸穴を有した枠体が固定され、前記ベース部の略中央の開口部をシャッター板が遮蔽できる位置に配置され、前記シャッター板の上部に２つの穴を有し、穴の上部には外側に向かう切り込みを有し、この切り込みは、前記穴を起点として前記シャッター板の外周端部まで設けられ外周端部にてシャッター板の外部に開放されたものであって、前記２つの穴に左右対称となる段差部を有した金属製のシャッター軸が係止され、シャッター軸の左右端部は前記枠体の軸穴に軸支され、シャッター板の面上にかかる風圧により、略中央の開口部を遮蔽および開放できることを特徴とした屋外フード。
【請求項３】
シャッター板の下方が、室内側に屈曲している屈曲部を有したことを特徴とした請求項１または２記載の屋外フード。
【請求項４】
枠体の上部前方に、折り返し部を設けたことを特徴とした請求項１記載の屋外フード。
【請求項５】
枠体の下端が、筒部の下端より下側に位置する構成としたことを特徴とした請求項１または４記載の屋外フード。
【請求項６】
枠体の下端中央部に、凹形状の溝を設けたことを特徴とした請求項１、４、５のいずれかに記載の屋外フード。
【請求項７】
枠体に、塗装を施したことを特徴とした請求項１、４、５、６のいずれかに記載の屋外フード。
【請求項８】
枠体の内周面に、緩衝部材を貼り付けたことを特徴とした請求項１、４、５、６、７のいずれかに記載の屋外フード。
【発明の詳細な説明】
【技術分野】
【０００１】
本発明は、住宅等の室内空気を換気するときに、建物の外壁部分に設置される屋外フードに関する。
【背景技術】
【０００２】
従来、この種の屋外フードは、室外側開口端に嵌め装着される装着用筒部と、下方を除いて被覆するカバー部とを備え、前記装着用筒部の通風線上に、垂直面内で回動し同室外側開口部の実質的な開口面積を可変する開閉部材を自由垂下状態に設けたものが知られている（例えば、特許文献１参照）。
【０００３】
以下、その屋外フードについて図１４および図１５を参照しながら説明する。
【０００４】
図に示すように、室外側開口部１０１に嵌め装着される装着用筒部１０２と下方を除いて被覆するカバー部１０３とを備え、装着用筒部１０２の通風線に室外側開口部１０１の面積を変化させるシャッター板１０４が、筒体１０５に有した軸部１０６とシャッター板１０４の両側端部に設けられた軸保持穴１０７が、片持状態で回動自在に軸支されており、シャッター板１０４にかかる風圧により、室外開口部の面積を変化させるものである。
【特許文献１】特開２００３−４２５２７号公報（図１、図２）
【発明の開示】
【発明が解決しようとする課題】
【０００５】
このような従来の屋外フードでは、台風のような強い風が吹いたとき、シャッター板が上方に煽られ、その際シャッター板はその風圧により中央を凸とする形状に変形されるとシャッター板両端の軸保持穴が中心方向に引き寄せられ、枠体の軸部から軸保持穴がはずれ、シャッター板自体が外れてしまうという現象が発生するおそれがあるという課題があり、強風が吹いてもはずれない構造であることが要求されている。
【０００６】
本発明は、従来のこのような課題を解決するものであり、台風などの強風が吹いたときでも、シャッター板がはずれない構造の屋外フードを提供することを目的としている。
【課題を解決するための手段】
【０００７】
本発明の屋外フードは上記目的を達成するために室内と室外を連通するダクト内に嵌挿される筒部を有し、略中央に開口部を有したベース部と、前記ベース部の室外側に下方に開口を形成するように設けられるフード部を有し、前記ベース部の室外側表面には、左右上部に軸穴を有した枠体が固定され、前記ベース部の略中央の開口部をシャッター板が遮蔽できる位置に配置され、前記シャッター板の上端には左右対称にＬ字状の溝を有し、前記Ｌ字状の溝に左右対称となる段差部を有した金属製のシャッター軸が係止され、シャッター軸の左右端部は前記枠体の軸穴に軸支され、シャッター板の面上にかかる風圧により、略中央の開口部を遮蔽および開放できることとしたものである。
【０００８】
この手段により、シャッター板が凸状に変形するのを防止でき、またシャッター軸の左右方向の動きを防止しているため、強風が吹いてもシャッター板が外れない屋外フードが得られる。
【０００９】
また、他の手段は、シャッター板の上部に２つの穴を有し、穴の上部には外側に向かう切り込みを有したものである。
【００１０】
この手段により、シャッター板が凸状に変形するのを防止でき、またシャッター軸の左右方向の動きを防止しているため、強風が吹いてもシャッター板が外れない屋外フードが得られる。
【００１１】
また、他の手段は、シャッター板の下方が、室内側に屈曲している屈曲部を有したものである。
【００１２】
この手段により、強風時、フード部下方から外風が吹いたとき、シャッター板が煽られるのを防止できる屋外フードが得られる。
【００１３】
また、他の手段は、枠体の上部前方に、折り返し部を設けたものである。
【００１４】
この手段により、枠体とシャッター板とのすき間を通る風の経路を長くすることにより、外風の侵入を低減できる屋外フードが得られる。
【００１５】
また、他の手段は、枠体の下端が、筒部の下端より下側に位置したものである。
【００１６】
この手段により、ダクト内に溜まった結露水を排出する際、結露水が壁に付着しないため、結露水の排出によって壁を汚すのを防止できる屋外フードが得られる。
【００１７】
また、他の手段は、枠体の下端中央部に、凹形状の溝を設けたものである。
【００１８】
この手段により、ダクト内に溜まった結露水を排出する際、シャッター板に結露水が付着しないため、シャッター板重量が変化することがないのでシャッター板の耐久性を向上させることができる。
【００１９】
また、他の手段は、枠体に、塗装を施したものである。
【００２０】
この手段により、シャッター軸と枠体の軸穴との擦動性を向上させ、シャッター板の引っかかりをなくすことができる屋外フードが得られる。
【００２１】
また、他の手段は、枠体の内周面に、緩衝部材を貼り付けたものである。
【００２２】
この手段により、シャッター板の閉鎖音を小さくすることができる屋外フードが得られる。
【発明の効果】
【００２３】
本発明によれば、強風が吹いてもシャッター板が外れない屋外フードを提供できる。
【００２４】
また、強風時、フード下方から外風が吹いたとき、シャッター板が煽られるのを防止できる屋外フードを提供できる。
【００２５】
また、枠体とシャッター板とのすき間を通る風の経路を長くすることにより、外風の侵入を低減できる屋外フードを提供できる。
【００２６】
また、ダクト内に溜まった結露水を排出する際、結露水が壁に付着しないため、結露水の排出によって壁を汚すのを防止できる屋外フードを提供できる。
【００２７】
また、ダクト内に溜まった結露水を排出する際、シャッター板に結露水が付着しないため、シャッター板重量が変化することがないのでシャッター板の耐久性を向上させることができる屋外フードを提供できる。
【００２８】
また、シャッター軸と枠体の軸穴との擦動性を向上させ、シャッター板の引っかかりをなくすことができる屋外フードを提供できる。
【００２９】
また、シャッター板の閉鎖音を小さくすることができる屋外フードを提供できる。
【発明を実施するための最良の形態】
【００３０】
本発明の請求項１記載の屋外フードは、室内と室外を連通するダクト内に嵌挿される筒部を有し、略中央に開口部を有したベース部と、前記ベース部の室外側に下方に開口を形成するように設けられるフード部を有し、前記ベース部の室外側表面には、左右上部に軸穴を有した枠体が固定され、前記ベース部の略中央の開口部をシャッター板が遮蔽できる位置に配置され、前記シャッター板の上端には左右対称にＬ字状の溝を有し、前記Ｌ字状の溝に左右対称となる段差部を有した金属製のシャッター軸が係止され、シャッター軸の左右端部は前記枠体の軸穴に軸支され、シャッター板の面上にかかる風圧により、略中央の開口部を遮蔽および開放できるものであり、シャッター軸はシャッター板を凸状に弾性変形させた状態でシャッター軸の段差部をシャッター板のＬ字状の溝に嵌め込み、シャッター板を平板状に戻すと、シャッター軸とシャッター板とが係止され、そして、シャッター軸は枠体に有した軸穴に内側から挿入し軸支されシャッターユニットを形成し、そして枠体はベース部の室外側表面側に固定され、この屋外フードが外壁に設置され、台風のような強い風が発生した際には、シャッター板が外風によって上方に回動し、煽られが、その際シャッター板には風圧によって凸状に変形される力がかかり、シャッター板の両側端部は中央に引き寄せられるようにシャッター軸のシャッター板の背面部の方向に曲がろうとするが、シャッター軸が金属製で強い剛性を有しているため、シャッター板はシャッター軸の背面部より曲がることがなく、よってシャッター板が凸状に変形するのを防止でき、これによりシャッター板とシャッター軸が外れることがなく、また、シャッター軸の段差部がシャッター板のＬ字状の溝に係止されているため、シャッター軸はシャッター板に対し左右方向の動きを防止しているため、シャッター軸は枠体から外れることがなく、このように強風が吹いてもシャッター板が外れないという作用を有する。
【００３１】
また、請求項２記載の屋外フードは、室内と室外を連通するダクト内に嵌挿される筒部を有し、略中央に開口部を有したベース部と、前記ベース部の室外側に下方に開口を形成するように設けられるフード部を有し、前記ベース部の室外側表面には、左右上部に軸穴を有した枠体が固定され、前記ベース部の略中央の開口部をシャッター板が遮蔽できる位置に配置され、前記シャッター板の上部に２つの穴を有し、穴の上部には外側に向かう切り込みを有し、この切り込みは、前記穴を起点として前記シャッター板の外周端部まで設けられ外周端部にてシャッター板の外部に開放されたものであって、前記２つの穴に左右対称となる段差部を有した金属製のシャッター軸が係止され、シャッター軸の左右端部は前記枠体の軸穴に軸支され、シャッター板の面上にかかる風圧により、略中央の開口部を遮蔽および開放できるものであり、シャッター軸はシャッター板を凸状に弾性変形させた状態でシャッター軸の段差部をシャッター板の切り込みに嵌めこみ、シャッター板を平板状に戻すと、シャッター軸とシャッター板とが係止され、そして、シャッター軸は枠体に有した軸穴に内側から挿入し軸支されシャッターユニットを形成し、そして枠体はベース部の室外側表面側に固定され、この屋外フードが外壁に設置され、台風のような強い風が発生した際には、シャッター板が外風によって上方に回動し、煽られ、その際シャッター板には風圧によって凸状に変形される力がかかり、シャッター板の両側端部は中央に引き寄せられるようにシャッター軸のシャッター板の背面部の方向に曲がろうとするが、シャッター軸が金属製で強い剛性を有しているため、シャッター板はシャッター軸の背面部より曲がることがなく、よってシャッター板が凸状に変形するのを防止でき、これによりシャッター板とシャッター軸が外れることがなく、また、シャッター軸の段差部がシャッター板の穴に係止されているため、シャッター軸はシャッター板に対し左右方向の動きを防止しているため、シャッター軸は枠体から外れることがない。このように強風が吹いてもシャッターが外れないという作用を有する。
【００３２】
また、請求項３記載の屋外フードは、シャッター板の下方が、室内側に屈曲している屈曲部を有したものであり、強風時、フード下方から外風が吹いたとき、シャッター板は軸穴を中心として上方に回動されるように煽られる力が発生するが、シャッター板は下方が室内側に屈曲している屈曲部を有しているため、フード下方からの風がシャッター板に加わっても、シャッター板の屈曲部は風に対してほぼ垂直に当たるため、シャッター板はベース部の室外側表面に当接する方向に力が働き、シャッター板が煽られることを防止できるという作用を有する。
【００３３】
また、請求項４記載の屋外フードは、枠体の上部前方に、折り返し部を設けたものであり、シャッター板の上部は回動する構造のため枠体の上端部内側面とにすき間を設ける必要があり、このすき間から外風が侵入してしまうが、枠体上部前方に折り返し部を設けたことにより、外風が室内側に通る距離が長くなることにより、外風の侵入量を低減することができるという作用を有する。
【００３４】
また、請求項５記載の屋外フードは、枠体の下端が、筒部の下端より下側に位置したものであり、屋外フードが浴室など湿気のある場所に設置された際には、筒部内に結露水が溜まる場合がある。この結露水は筒部内を室外側に流れ、ベース表面まで到達すると、枠体が筒部の下端より下側に位置されているため、結露水は枠体の下端に流れ、枠体の下端の室外側端面より滴下する。このとき滴下位置は外壁面から離れているため、結露水が外壁に付着することなく滴下するため、外壁を汚すことがなく効果的に結露水を室外に排出できるという作用を有する。
【００３５】
また、請求項６記載の屋外フードは、枠体の下端中央部に、凹形状の溝を設けた構成としたものであり、屋外フードが浴室など湿気のある場所に設置された際、筒部内に溜まった結露水は筒部内を室外側に流れ、ベース部表面まで到達すると、枠体の下端中央部の凹形状の溝に流れ、凹形状の溝の室外側端面より滴下し、この際、結露水は枠体の下端部のさらに下がった位置である凹形状の溝内を流れるため、結露水排出の際、結露水がシャッター板に接触することがない。このとき、汚れを含んだ結露水がシャッター板の下端に接触すると、結露水に含んだ汚れがシャッター板に付着してしまい。長い間の使用においてシャッター板の下方に汚れが付着し、汚れによってシャッター板重量が重くなり、シャッター板の開閉に支障をきたすことがあるが、結露水は凹形状の溝上を流れるため、シャッター板に付着しないため、長時間の使用においてもシャッター板の重量が変化せず、シャッター板の耐久性を向上できるという作用を有する。
【００３６】
また、請求項７記載の屋外フードは、枠体に、塗装を施したものであり、枠体の軸穴は、たとえば枠体が金属製であると、軸穴の加工の際、軸穴部に微小な突起（バリ）が発生することがあり、シャッター板が風圧により開閉を繰り返すときにシャッター軸と軸穴が摺動するため、軸穴部に微小な突起（バリ）があるとシャッター軸が傷つき、シャッター板が引っかかり正常に動かなくなることがあり、上記のように枠体には塗装を施しているので、軸穴には塗膜面が形成され、微小な突起（バリ）がなくなり、シャッター軸と軸穴とが摺動しても、シャッター板が傷つくことがなく、シャッター板の耐久性を向上できるという作用を有する。
【００３７】
また、請求項８記載の屋外フードは、枠体の内周面に、緩衝部材を貼り付けた構成としたものであり、シャッター板が開放状態から閉鎖状態になるときにはシャッター板は枠体の内周面に貼り付けた弾性を有した緩衝部材に当接するため、閉鎖したときの音を小さくすることができるという効果を有する。
【００３８】
以下、本発明の実施の形態について図面を参照しながら説明する。
【００３９】
（実施の形態１）
図１〜図３に示すように、室内と室外を連通するダクト１内に嵌挿される筒部２を有し、略中央に開口部３を有したベース部４と、ベース部４の室外側に下方に開口を形成するように設けられるフード部５を有し、ベース部４の室外側表面６には、左右上部に軸穴７を有した枠体８が固定され、ベース部４の略中央の開口部３をシャッター板９が遮蔽できる位置に配置され、シャッター板９の上端には左右対称にＬ字状の溝１０を有し、Ｌ字状の溝１０には左右対称となる段差部１１を有した金属製のシャッター軸１２が係止され、シャッター軸１２の左右端部１３は枠体８の軸穴７に軸支され、シャッター板９の面上にかかる風圧により、略中央の開口部３を遮蔽および開放できる屋外フード１４の構成としている。
【００４０】
上記構成において、シャッター軸１２はシャッター板９を凸状に弾性変形させた状態でＬ字状の溝１０に嵌め込み、シャッター板９を平板状に戻すと、シャッター軸１２とシャッター板９とが係止される。そして、シャッター軸１２は枠体８に有した軸穴７に内側から挿入し軸支されシャッターユニット１５を形成する。そして、枠体８はベース部４の室外側表面６側に固定される。この屋外フード１４が外壁１６に設置され、台風のような強い風が発生した際には、シャッター板９が外風によって上方に回動し、煽られる。その際シャッター板９には風圧によって凸状に変形される力がかかり、シャッター板９の両側端部１７は中央に引き寄せられるようにシャッター軸１２のシャッター板９の背面部１８の方向に曲がろうとするが、シャッター軸１２が金属製で強い剛性を有しているため、シャッター板９はシャッター軸１２の背面部１８より曲がることがない。よって、シャッター板９が凸状に変形するのを防止できる。これによりシャッター板９とシャッター軸１２が外れることがない、また、シャッター軸１２の段差部１１がシャッター板９のＬ字状の溝１０に係止されているため、シャッター軸１２はシャッター板９に対し左右方向の動きを防止しているため、シャッター軸１２は枠体８から外れることがない。このように強風が吹いてもシャッター板９が外れないものとなっている。
【００４１】
（実施の形態２）
図４〜図６に示すように、シャッター板９Ａの上部に２つの穴１９を有し、穴１９の上
部には外側に向かう切り込み２０を有し、この切り込み２０は、前記穴１９を起点として前記シャッター板９Ａの外周端部まで設けられ外周端部にてシャッター板９Ａの外部に開放されたものであって、前記２つの穴１９に左右対称となる段差部１１Ａを有した金属製のシャッター軸１２Ａが係止され、シャッター軸１２Ａの左右端部は前記枠体８Ａの軸穴７Ａに軸支され、シャッター板９Ａの面上にかかる風圧により、略中央の開口部を遮蔽および開放できる構成としている。
【００４２】
上記構成において、シャッター軸１２Ａはシャッター板９Ａを凸状に弾性変形させた状態でシャッター軸１２Ａの段差部１１Ａをシャッター板９Ａの切り込み２０に嵌めこみ、シャッター板９Ａを平板状に戻すと、シャッター軸１２Ａとシャッター板９Ａとが係止される。そして、シャッター軸１２Ａは、枠体８Ａに有した軸穴７Ａに内側から挿入し軸支され、シャッターユニット１５Ａを形成する。そして、枠体８Ａは、ベース部４Ａの室外側表面６Ａ側に固定される。この屋外フード１４Ａが外壁１６Ａに設置され、台風のような強い風が発生した際には、シャッター板９Ａが外風によって上方に回動し、煽られる。その際シャッター板９Ａには風圧によって凸状に変形される力がかかり、シャッター板９Ａの両側端部１７Ａは中央に引き寄せられるようにシャッター軸１２Ａのシャッター板９Ａの背面部１８Ａの方向に曲がろうとするが、シャッター軸１２Ａが金属製で強い剛性を有しているため、シャッター板９Ａはシャッター軸１２Ａの背面部１８Ａより曲がることがない。よって、シャッター板９Ａが凸状に変形するのを防止できる。これによりシャッター板９Ａとシャッター軸１２Ａが外れることがない、また、シャッター軸１２Ａの段差部１１Ａがシャッター板９Ａの穴１９に係止されているため、シャッター軸１２Ａはシャッター板９Ａに対し左右方向の動きを防止しているため、シャッター軸１２Ａは枠体から外れることがない。
【００４３】
このように、強風が吹いてもシャッター板９Ａが外れないものとなっている。
【００４４】
（実施の形態３）
図７に示すように、シャッター板９Ｂの下方が室内側に屈曲している屈曲部２１を有した構成とする。
【００４５】
上記構成において、強風時、フード５Ｂの下方から外風が吹いたとき、シャッター板９Ｂは軸穴７Ｂを中心として上方に回動されるように煽られる力が発生するが、シャッター板９Ｂは下方が室内側に屈曲している屈曲部２１を有しているため、フード５Ｂの下方からの風がシャッター板９Ｂに加わっても、シャッター板９Ｂの屈曲部２１は風に対してほぼ垂直に当たるため、シャッター板９Ｂはベース部４Ｂの室外側表面６Ｂに当接する方向に力が働き、シャッター板９Ｂが煽られることを防止できる。
【００４６】
（実施の形態４）
図８に示すように、枠体８Ｃの上部前方に折り返し部２２を設けた構成とする。
【００４７】
上記構成において、シャッター板９Ｃはその上部が回動する構造のため、枠体８Ｃの上端部内側面２３とシャッター９Ｃの上部２４にすき間を設ける必要があり、このすき間より外風の侵入してしまうが、枠体８Ｃの上部前方に折り返し部２２を設けたことにより、外風が室内側に通る距離が長くなることにより、外風の侵入量を低減することができる。
【００４８】
（実施の形態５）
図９および図１０に示すように、枠体８Ｄの下端部２５が筒部２Ａの下端２６より下側に位置し、また枠体８Ｄの下端部２５の中央に凹形状の溝２７を設けた構成とする。
【００４９】
上記構成において、屋外フードが浴室など湿気のある場所に設置された際には、筒部２Ａ内に結露水が溜まる場合がある。筒部２Ａ内に溜まった結露水はベース部４Ｃに到達し、枠体８Ｄの下端部２５に落下し、下端部２５の室外側端部２８から滴下する。このとき結露水が滴下する場所は外壁１６Ｂから離れた場所であるため、結露水が滴下する際に外壁１６Ｂに付着することがない。また、この結露水は筒部２Ａ内の汚れを含んでいるので汚れた水であり、壁に結露水が付着すると壁が汚れるが、結露水が壁から離れて落ちるため壁を汚すのを防止できる。
【００５０】
また、枠体８Ｄの下端部２５の中央に凹形状の溝２７を設けているので、筒部２Ａ内に溜まった結露水はベース４Ｃ部を経由し、枠体８Ｄの下端部２５の中央の凹形状の溝２７に落ちる。そして、室外側端部２８から滴下する。この際、結露水は枠体８Ｄの下端部２５のさらに下がった位置である凹形状の溝２７内を流れるため、結露水排出の際、結露水がシャッター板９Ｄに接触することがない。このとき、汚れを含んだ結露水がシャッター板９Ｄの下端に接触すると、結露水に含んだ汚れがシャッター板９Ｄに付着してしまい、長い間の使用においてシャッター板９Ｄの下方に汚れが付着し、汚れによってシャッター板９Ｄ重量が重くなり、シャッター板９Ｄの開閉に支障をきたすことがあるが、結露水は凹形状の溝２７上を流れるため、シャッター板９Ｄに付着しないため、長時間の使用においてもシャッター板９Ｄの重量が変化せず、シャッター板９Ｄの耐久性を向上できる。
【００５１】
（実施の形態６）
図１１に示すように、枠体８Ｅに塗装２９を施した構成としたものである。
【００５２】
上記構成において、たとえば枠体８Ｅが金属製であると、軸穴７Ｂの加工の際、軸穴７Ｂに微小な突起（バリ）が発生することがある。シャッター板９Ｅが風圧により開閉を繰り返すときにシャッター軸１２Ｂと軸穴７Ｂが摺動するため、軸穴７Ｂ部に微小な突起（バリ）があるとシャッター軸１２Ｂが傷つき、シャッター板９Ｅが引っかかり正常に動かなくなることがある。上記のように枠体８Ｅには塗装２９を施しているので、軸穴７Ｂには塗膜面が形成され、微小な突起（バリ）がなくなり、シャッター軸１２Ｂと軸穴７Ｂとが摺動しても、シャッター板９Ｅが傷つくことがなく、シャッター板９Ｅの引っかかりを防止できるのでシャッター板９Ｅの耐久性を向上できる。
【００５３】
（実施の形態７）
図１２および図１３に示すように、枠体８Ｆの内周面３０に緩衝部材３１を貼り付けた構成とする。
【００５４】
上記構成において、シャッター板９Ｆが開放状態から閉鎖状態になるときにはシャッター板９Ｅは枠体の内周面３０に貼り付けた弾性を有した緩衝部材３１に当接するため、閉鎖したときの音を小さくすることができる。
【産業上の利用可能性】
【００５５】
本発明にかかる屋外フードのシャッター板の取付構造は、台風などの強風が吹いたときでもシャッター板が外れない構造によって、空調機、送風機等に設けられているシャッターの取付構造にも適用できる。
【図面の簡単な説明】
【００５６】
【図１】本発明の実施の形態１の屋外フードの断面図
【図２】同屋外フードのシャッターユニットの組み立て状態を示す斜視図
【図３】同屋外フードのシャッター板にシャッター軸を取り付ける状態を示す斜視図
【図４】本発明の実施の形態２の屋外フードのシャッター板を示す正面図
【図５】同屋外フードのシャッターユニットの組み立て状態を示す斜視図
【図６】同屋外フードの断面図
【図７】本発明の実施の形態３の屋外フードの断面図
【図８】本発明の実施の形態４の屋外フードの断面図
【図９】本発明の実施の形態５の屋外フードの断面図
【図１０】同屋外フードのシャッターユニット組み立て状態を示す斜視図
【図１１】本発明の実施の形態６のシャッターユニットの組み立て状態を示す斜視図
【図１２】本発明の実施の形態７の屋外フードの断面図
【図１３】同換気フードのシャッターユニットの組み立て状態を示す斜視図
【図１４】従来の屋外フードの断面図
【図１５】同屋外フードの正面図
【符号の説明】
【００５７】
１    ダクト
２    筒部
２Ａ  筒部
３    開口部
４    ベース部
５    フード部
７    軸穴
８    枠体
８Ｃ  枠体
８Ｄ  枠体
８Ｅ  枠体
８Ｆ  枠体
９    シャッター板
９Ａ  シャッター板
９Ｂ  シャッター板
１０  Ｌ字状の溝
１１  段差部
１２  シャッター軸
１４  屋外フード
１９  穴
２０  切り込み
２１  屈曲部
２２  折り返し部
２４  上部
２５  下端部
２６  下端
２７  凹形状の溝
２９  塗装
３０  内周面
３１  緩衝部材
【図１】
0004760486.tif 000002
【図２】
0004760486.tif 000003
【図３】
0004760486.tif 000004
【図４】
0004760486.tif 000005
【図５】
0004760486.tif 000006
【図６】
0004760486.tif 000007
【図７】
0004760486.tif 000008
【図８】
0004760486.tif 000009
【図９】
0004760486.tif 000010
【図１０】
0004760486.tif 000011
【図１１】
0004760486.tif 000012
【図１２】
0004760486.tif 000013
【図１３】
0004760486.tif 000014
【図１４】
0004760486.tif 000015
【図１５】
0004760486.tif 000016